(57)【要約】【課題】指掛け穴をもつ持手部であっても指の痛みが生じず、また、ある指掛け穴が破損しても対応可能な包装袋及びロール製品パッケージを提供する【解決手段】ロール製品Ｒを収納する包装袋１であって、本体部２と、本体部２の上端側に設けられた持手部６と、持手部６に設けられ、それぞれが持手部６と連続する折返し部８１と、持手部６と切り離されたスリット部８２とを有する第１指掛け穴８ａ、第２指掛け穴８ｂ及び第３指掛け穴８ｃと、を備え、中間に位置する第２指掛け穴８ｂが左右側に位置する第１指掛け穴８ａ及び第３指掛け穴８ｃよりも下方に設けられている【選択図】図１
2016141405.tif 000002
【特許請求の範囲】
【請求項１】
ロール製品を収納する包装袋であって、
本体部と、
前記本体部の上端側に設けられた持手部と、
前記持手部に設けられ、それぞれが前記持手部と連続する折返し部と、前記持手部と切り離されたスリット部とを有する第１指掛け穴、第２指掛け穴及び第３指掛け穴と、を備え、
中間に位置する前記第２指掛け穴が左右側に位置する前記第１指掛け穴及び前記第３指掛け穴よりも下方に設けられていることを特徴とする包装袋。
【請求項２】
前記第１指掛け穴、前記第２指掛け穴及び前記第３指掛け穴が、上側で前記持手部と連続する前記折返し部と、下側で前記持手部から切り離されている前記スリット部とを有することを特徴とする請求項１に記載の包装袋。
【請求項３】
前記第２指掛け穴が前記第１指掛け穴及び前記第３指掛け穴よりも大きな横方向の長さを有することを特徴とする請求項１又は２に記載の包装袋。
【請求項４】
前記第１指掛け穴及び前記第３指掛け穴が、上側で前記持手部と連続する前記折返し部と、下側で前記持手部から切り離されている前記スリット部とを有し、
前記第２指掛け穴が、下側で前記持手部と連続する前記折返し部と、上側で前記持手部から切り離されている前記スリット部とを有することを特徴とする請求項１に記載の包装袋。
【請求項５】
さらに、前記第２指掛け穴において、前記折返し部の左右端の下側近傍から下方に向かって延在する２本の補助ミシン目を有することを特徴とする請求項４に記載の包装袋。
【請求項６】
請求項１から５のいずれか１項に記載の包装袋と、
前記包装袋の収納された複数個のロール製品と、を備えるロール製品パッケージ。
【発明の詳細な説明】
【技術分野】
【０００１】
本発明は、包装袋、特に、トイレットペーパー、ペーパータオルなどの薄葉紙のロール製品を複数個収納する包装袋、及び包装袋にロール製品を収納したロール製品パッケージに関する。
【背景技術】
【０００２】
トイレットペーパー、ペーパータオル等の包装袋としては、従来、ポリエチレン等の筒状フィルムにガセットを対称的に折り込んで本体とするとともに、その上部を平面状に折り畳んで持手部とし、持手部に購入者が運搬するための２個の小振りの指掛け穴を備えているものが知られている（特許文献１）。また、持手部に１個の大振りの指掛け穴を備えているものも知られている（特許文献２）。このほかにも、持手部を包装袋の本体とは別体の帯状のものとし、持手部の両端部を包装袋の上面を跨ぐように本体の対向する側面に接合したものも知られている（特許文献３）。
【０００３】
このように、包装袋の持手部に購入者が運搬するための指掛け穴が備えられているものについては、特に多数のロールを収納したロール製品パッケージでは重量が重くなり、２個の小振りの指掛け穴では指の掛け方によっては指が痛くなったり、１個の大振りの指掛け穴では持ち運ぶ途中に持手部が破損したりするという課題がある。一方、指掛け穴を備えない帯状の持手部のものについては、持手部の下に初めて指を入れようとするときにスムーズにいかなかったり、持ち運び中のロール製品パッケージの揺れが指や手に直接的に伝わって歩行のバランスを取りづらかったりという課題がある。
【先行技術文献】
【特許文献】
【０００４】
【特許文献１】特開２００４−２６９０１０号公報
【特許文献２】特開２０１１−１８９９６５号公報
【特許文献３】特開２００５−１５３９５９号公報
【発明の概要】
【発明が解決しようとする課題】
【０００５】
そこで、本発明はこのような課題に鑑みてなされたものであり、その目的は、指掛け穴をもつ持手部であっても指の痛みが生じず、また、ある指掛け穴が破損しても対応可能な包装袋及びロール製品パッケージを提供することにある。
【課題を解決するための手段】
【０００６】
上記課題を解決するため、本発明の包装袋は、本発明は、以下の構成によって把握される。
（１）本発明の包装袋は、ロール製品を収納する包装袋であって、本体部と、本体部の上端側に設けられた持手部と、持手部に設けられ、それぞれが持手部と連続する折返し部と、持手部と切り離されたスリット部とを有する第１指掛け穴、第２指掛け穴及び第３指掛け穴と、を備え、中間に位置する第２指掛け穴が左右側に位置する第１指掛け穴及び第３指掛け穴よりも下方に設けられていることを特徴とする。
【０００７】
（２）上記（１）の構成において、第１指掛け穴、第２指掛け穴及び第３指掛け穴が、上側で持手部と連続する折返し部と、下側で持手部から切り離されているスリット部とを有してもよい。
【０００８】
（３）上記（１）又は（２）の構成において、第２指掛け穴が第１指掛け穴及び第３指掛け穴よりも大きな横方向の長さを有してもよい。
【０００９】
（４）上記（１）の構成において、第１指掛け穴及び第３指掛け穴が、上側で持手部と連続する折返し部と、下側で持手部から切り離されているスリット部とを有し、第２指掛け穴が、下側で持手部と連続する折返し部と、上側で持手部から切り離されているスリット部とを有してもよい。
【００１０】
（５）上記（４）の構成において、さらに、第２指掛け穴において、折返し部の左右端の下側近傍から下方に向かって延在する２本の補助ミシン目を有してもよい。
【００１１】
（６）本発明のロール製品パッケージは、上記（１）から（５）のいずれか１個に記載の包装袋と、包装袋の収納された複数個のロール製品と、を備えることを特徴とする。
【発明の効果】
【００１２】
この発明によれば、指掛け穴をもつ持手部であっても指の痛みが生じず、また、ある指掛け穴が破損しても対応可能な包装袋及びロール製品パッケージを提供することができる。
【図面の簡単な説明】
【００１３】
【図１】本発明の第１実施形態に係る包装袋及びロール製品パッケージの斜視図である。
【図２】本発明の第１実施形態に係る包装袋の持手部の拡大図である。
【図３】本発明の第２実施形態に係る包装袋の持手部の拡大図である。
【図４】本発明の第３実施形態に係る包装袋の持手部の拡大図である。
【図５】本発明の第３実施形態に係る包装袋の正面図である。
【図６】従来の包装袋の持手部の拡大図である。
【発明を実施するための形態】
【００１４】
本発明の好ましい実施の形態について図面を参照しながら以下に説明する。以下の説明において、同一の構成要素には同一の符号を使用している。また、包装袋又はロール製品パッケージを使用する通常の状態において、上面となる側を「上側」、底面となる側を「下側」として説明する。
【００１５】
＜第１実施形態＞
図１は、本発明の第１実施形態に係る包装袋１及びロール製品パッケージ１００を示す斜視図である。包装袋１は、複数個のトイレットペーパーやペーパータオルなどのロール製品Ｒを収納する本体部２を有する。ここでは、ロール製品Ｒを上下２段、１段あたり４個、計８個の場合を例として図示しているが、もちろんこれに限定されるものではなく、上下３段、１段あたり４個、計１２個を収納してもよい。本体部２の上側には持手部６が形成されており、持手部６には指掛け穴８が３個設けられている。図中、左側から、第１指掛け穴８ａ、第２指掛け穴８ｂ、第３指掛け穴８ｃとする。第１実施形態は、もともと２個の小振りな指掛け穴を持手部６の左右側に設けているような包装袋１に対し、本願発明を適用するような場合に好適な態様である。
【００１６】
包装袋１を構成するフィルムの厚さは、２５μｍ以上４５μｍ以下が好ましい。２５μｍを下回ると強度が低下し、ロール製品パッケージ１００としたとき、持ち運び時に破断し易くなる。逆に、４５μｍを上回ると収納されたロール製品Ｒを締め付ける力が増し、ロール製品Ｒが収納された際に潰れ易くなったり、フィルム自体の風合いが低下したりする。
【００１７】
包装袋１を構成するフィルムの材質は特に限定されないが、破れ難いすなわち伸び易いポリエチレンを含む組成が好ましい。このフィルムには、両面の少なくとも一方に印刷が施されていてもよく、包装袋１の外面（消費者に触れる側の面）及び内面（ロール製品Ｒが触れる面）のいずれでも印刷層を付与することができる。
【００１８】
本体部２と持手部６との間、及び持手部６の上辺近傍などには、詳しくは後述するように、ヒートシールなどによりシールライン１２が形成されている。本体部２の底辺１０はロール製品Ｒを収納する前には開放されており、底辺１０からロール製品Ｒを収納後、底辺１０をヒートシールなどによりシールして閉鎖する。
【００１９】
図２を参照して、持手部６について、詳しく説明する。持手部６は、包装袋１の前面と後面のプラスチックフィルムが重なり合うことにより形成されており、持手部６には、後述するシールライン１２によって囲われた中央部６ａに指掛け穴８が所定の位置に設けられている。なお、ここでは、３個の指掛け穴８を示しているが、その数は３個に限定されるものではなく、例えば４個としてもよい。
【００２０】
第１実施形態においては、第１指掛け穴８ａ、第２指掛け穴８ｂ、第３指掛け穴８ｃは同じ大きさに形成されており、各指掛け穴８は、持手部６と連続する折返し部８１と、切り込まれたスリット部８２と、スリット部８２を持手部６に仮固定する接続部８３と、接続部８３を破断したときに折返し部８１とスリット部８２で囲まれる折返し片８４とから構成されている。接続部８３は、折返し部８１に対し、極めて短い範囲で持手部６と連続している。このような構成の指掛け穴８に指が入れられると、折返し部８１は破断されないまま接続部８３のみが容易に破断され、折返し片８４が折返し部８１を起点として上方側にめくれ、指を挿通することができる。
【００２１】
なお、ここでは、接続部８３を設けた例を示しているが、接続部８３は設けない例としてもよい。その場合には、スリット部８２の全区間が予め切り取られていることとなり、消費者はほとんど力を要さずに折返し片８４を押すだけで指を挿通することとなる。
【００２２】
各指掛け穴８の形状としては、指を挿通したり引っ掛けたりするときに指が角張った箇所に当たらないように、滑らかな曲線をもって構成することが好ましい。ここでは、スリット部８２を弧状に形成しており、全体として楕円形又は長円形に近い形状を有しているが、このほかにも例えば円形としても差し支えない。各指掛け穴８の大きさは、包装袋１を持ち運びできるように成人の人差し指などを容易に入れることができる程度の大きさが少なくともあればよい。
【００２３】
各指掛け穴８の縦方向の配置としては、持手部６の左右側に位置する第１指掛け穴８ａ及び第３指掛け穴８ｃは横方向において同じ高さの位置に設けられている。そして、それらの中間に位置する第２指掛け穴８ｂは、第１指掛け穴８ａ及び第３指掛け穴８ｃよりも、３〜１０ｍｍ程度下方の位置にずらして設けられている。第２指掛け穴８ｂからみた場合には、第１指掛け穴８ａ及び第３指掛け穴８ｃは第２指掛け穴８ｂよりも、３〜１０ｍｍ程度上方の位置にずらして設けられていることとなる。このように中間に位置する第２指掛け穴８ｂを他の２個の指掛け穴８ａ，８ｂよりも下方とすることで、人差し指を第１指掛け穴８ａに、中指を第２指掛け穴８ｂに、薬指を第３指掛け穴８ｃに引っ掛ける場合、各指を挿通し易くすることができる。
【００２４】
各指掛け穴８の横方向の配置としては、第１指掛け穴８ａ、第２指掛け穴８ｂ、第３指掛け穴８ｃは、持手部６の横方向に離れすぎると各指を引っ掛けにくくなるので、各指を引っ掛け易い程度に離れた位置に形成することが好ましい。第２指掛け穴８ｂをほぼ中央として、３個の指掛け穴８が横方向にほぼ等間隔を空けて設けられている。
【００２５】
次に、シールライン１２について、説明する。包装袋１は、チューブ状としたフィルムの左右両側をガセットとして内側に対称的に折り込み、各ガセットの折り込み端縁が包装袋１の横方向中央付近で近接するように平面状に折り畳み、上端で折り畳み部分の適所をヒートシールして形成されている。この結果、所定箇所にシールライン１２が形成されるが、シールライン１２で一体化され固定された矩形の扁平部分が持手部６をなしている。以下、説明する。
【００２６】
包装袋１の上縁近傍には、包装袋１の横方向に互いに平行に延びる上側の第１シールライン１２ａ及び下側の第２シールライン１２ｂが設けられている。そして、第１シールライン１２ａ及び第２シールライン１２ｂを上下につなぐ、包装袋１の縦方向に互いに平行に延びる左側の第３シールライン１２ｃ及び右側の第４シールライン１２ｄが設けられている。これら４個の第１〜第４シールライン１２ａ，１２ｂ，１２ｃ，１２ｄの間で囲まれた矩形領域が持手部６を形成しており、その中に前述した３個の指掛け穴８ａ，８ｂ，８ｃが設けられている。第１シールライン１２ａ及び第２シールライン１２ｂの左右端は、空気抜き（包装袋はチューブの連続体を巻き取った形で供給されることもあり、空気抜きが必要となる。）のための一部中段区間１２ａａ，１２ｂｂを経て、包装袋１の左右端まで延在している。
【００２７】
ここで、持手部６には、包装袋１を構成するフィルムの厚さや、収納するロール製品Ｒの重量などを考慮して、補強フィルム１３を接合してもよい。補強フィルムの厚さは２０〜１２０μｍであることが好ましく、さらには４０〜１１０μｍであることがさらに好ましい。２０μｍを下回ると強度が不足して持手部６を持ったときに破断することがある。逆に、１２０μｍを上回ると包装袋１を構成するフィルムと補強フィルムとの厚さが異なりすぎ、接合の際の操業性が低下するとともにコストアップの要因ともなる。補強フィルムは、例えば、ヒートシール、粘着テープ、ホットメルトなどにより包装袋１のフィルムに接合するこができる。
【００２８】
第１実施形態に係る包装袋１又はロール製品パッケージ１００によれば、２個の指掛け穴の持手部のものでは指の掛け方によっては指が痛くなり易いものであったのに対し、３個の指掛け穴を有することによって人差し指、中指、薬指等を使うことができ、荷重の分散や指の入れ替えが容易であることから指が痛くなり難いものとすることができる。また、１個の大振りな指掛け穴の持手部のものでは持ち運び中に破損すると持ち運びが困難であったのに対し、３個の指掛け穴を有することによって万一いずれかの指掛け穴が破損しても他の指掛け穴を補助的に使用することにより対応が可能となる。
【００２９】
＜第２実施形態＞
次に、図３を参照して、第２実施形態について説明する。第２実施形態は、第１実施形態と同様に３個の指掛け穴８を設ける点で共通するが、第１指掛け穴８ａ及び第３指掛け穴８ｃを同じ大きさとし、第２指掛け穴８ｂを第１指掛け穴８ａ及び第３指掛け穴８ｃよりも横方向に大きく形成した点で異なる。第２実施形態は、もともと１個の大振りな指掛け穴を持手部６の中央に設けているような包装袋１に対し、本願発明を適用するような場合に好適な態様である。
【００３０】
第２実施形態に係る包装袋１又はロール製品パッケージ１００によれば、例えば、もともと１個の大振りな指掛け穴であった場合、その大振りな指掛け穴が持ち運び中に破損すると持ち運びが困難であったのに対し、３個の指掛け穴を有することによって万一いずれかの指掛け穴が破損しても他の指掛け穴を補助的に使用することにより対応が可能となる。さらには、人差し指を第１指掛け穴８ａに、中指と薬指を第２指掛け穴８ｂに、小指を第３指掛け穴８ｃに引っ掛けるなど、荷重の分散や指の入れ替えが容易であることから指が痛くなり難いものとすることができる。
【００３１】
＜第３実施形態＞
次に、図４を参照して、第３実施形態について説明する。第３実施形態は、第１実施形態と同様に同じ大きさの３個の指掛け穴８を設ける点で共通するが、第１指掛け穴８ａ及び第３指掛け穴８ｃをスリット部８２が下側（すなわち、折返し部８１が上側）に向くように配置し、第２指掛け穴８ｂを上下転倒させてスリット部８２が上側（すなわち、折返し部８１が下側）に向くように配置した点で異なる。
【００３２】
第３実施形態は、もともと２個の小振りな指掛け穴を持手部６の左右側に設けているような包装袋１に対し、本願発明を適用するような場合に好適な態様である点で第１実施形態と共通する。そして、さらに、第２指掛け穴８ｂがそのスリット部８２を上側としているため、折返し片８４は上側から下側に向けて折り返されることとなり、折返し片８４をそのまま包装袋１を開封する際のつまみとしても利用できる。その際、包装袋１を開封する途中でつまみとしての折返し片８４が千切れてしまわないように、折返し部８１を長めに設定しておくことが望ましい。図５は、第３実施形態において、矢印Ａと用語Ｂをもって消費者に開封を促すための印刷を施した例を示している。
【００３３】
この点、第２指掛け穴８ｂの折返し片８４を下方に引き下げたときにより一層スムーズに包装袋１を開封できるように、折返し部８１の左右端部の下側近傍から下方に末広がりとなるような補助ミシン目８５を施してもよい。
【００３４】
なお、本実施例において、包装袋に収納される物品をロール製品としているがこれに限定されるものではなく、様々な物品を複数または単品で包装する袋に使用することができる。さらに、本実施例において開示した寸法、材料、形状などを含む全てのことは、これらに限定されるものではなく、当業者であれば適宜変更可能であるような例を全て含むものである。
【実施例】
【００３５】
以下、実施例を挙げて、本発明を具体的に説明するが、本発明はもちろんこれらの例に限定されるものではない。
【００３６】
厚さ３０μｍの低密度ポリエチレンフィルムを用い、図１に示す包装袋１を作成した。持手部には、厚さ７０μｍの補強フィルムを接合した。ロール製品としてはシングル（すなわち１ｐｌｙ）のトイレットペーパーを用い、１２ロールを包装してロール製品パッケージを得た。得られたロール製品パッケージの重量は１．９０ｋｇであった。このロール製品パッケージを用いて、上述した第１〜第３実施形態に対応する実施例１〜３を次のように設定した。
【００３７】
＜実施例１＞
持手部６の寸法については縦３６ｍｍ、横９６ｍｍと設定し、第１指掛け穴８ａ、第２指掛け穴８ｂ及び第３指掛け穴８ｃの寸法については縦１８ｍｍ、横２６ｍｍと設定した。そして、第１指掛け穴８ａ及び第３指掛け穴８ｃを、折返し部８１と持手部６の上端との距離が５ｍｍ、スリット部８２と持手部６の下端との距離が１３ｍｍ、スリット部８２と持手部６の左右端との距離がそれぞれ５ｍｍとなる位置に設けた。第２指掛け穴８ｂは、第１指掛け穴８ａ及び第３指掛け穴８ｃから５ｍｍだけ下方にずらした位置、すなわち、折返し部８１と持手部６の上端との距離が１０ｍｍ、スリット部８２と持手部６の下端との距離が８ｍｍとなる位置に設けた。第２指掛け穴８ｂと第１指掛け穴８ａ及び第３指掛け穴８ｃとの距離は、それぞれ４ｍｍとした。
【００３８】
＜実施例２＞
持手部６の寸法については縦３６ｍｍ、横１２２ｍｍと設定し、第１指掛け穴８ａ及び第３指掛け穴８ｃの寸法については縦１３ｍｍ、横２２ｍｍと、第２指掛け穴８ｂの寸法については縦１５ｍｍ、横６０ｍｍと設定した。そして、第１指掛け穴８ａ及び第３指掛け穴８ｃを、折返し部８１と持手部６の上端との距離が８ｍｍ、スリット部８２と持手部６の下端との距離が１５ｍｍとなる位置に設けた。第２指掛け穴８ｂは、第１指掛け穴８ａ及び第３指掛け穴８ｃから５ｍｍだけ下方にずらした位置、すなわち、折返し部８１と持手部６の上端との距離が１３ｍｍ、スリット部８２と持手部６の下端との距離が８ｍｍとなる位置に設けた。第１指掛け穴８ａ及び第３指掛け穴８ｃのスリット部８２と持手部６の左右端との距離、第２指掛け穴８ｂと第１指掛け穴８ａ及び第３指掛け穴８ｃとの距離は、実施例１と同様である。
【００３９】
＜実施例３＞
第２指掛け穴８ｂを上下転倒、すなわち、第２指掛け穴８ｂの折返し部８１が下側に、スリット部８２が上側になるようにした以外は、実施例１と同様とした。
【００４０】
＜比較例＞
図６に示すように、指掛け穴８８が２個のものであって、持手部６６の寸法及び第１指掛け穴８８ａ及び第３指掛け穴８８ｃの寸法については実施例１と同様とした。そして、第１指掛け穴８８ａ及び第３指掛け穴８８ｃを、折返し部８８１と持手部６６の上端との距離が９ｍｍ、スリット部８８２と持手部６６の下端との距離が９ｍｍ、スリット部８８２と持手部６６の左右端との距離がそれぞれ１０ｍｍとなる位置に設けた。第１指掛け穴８８ａと第３指掛け穴８８ｃとの距離は、２４ｍｍとした。なお、第１指掛け穴８８ａと第３指掛け穴８８ｃとの中間位置には包装袋１１を開封するための補助ミシン目４４を設けた。
【００４１】
＜包装袋の持ち易さ＞
得られた実施例１〜３及び比較例に係る包装袋について、次のような評価を行った。女性のモニター２０名に実施例１〜３及び比較例ともにすべての指掛け穴を用いるという条件下で、５分間実際に歩行しながら持ち運んでもらい、従来品である比較例を基準として、「１：良い」、「２：やや良い」、「３：同じ」、「４：やや悪い」、「５：悪い」の５段階評価を付与してもらった。結果は、実施例ごとにモニター２０名の評価を平均して総合評価とした。得られた結果を表１のとおりであり、数字の小さいほうが良好であることを示している。
【００４２】
【表１】
2016141405.tif 000003
【００４３】
表１から明らかなように、実施例１〜３とも、比較例に対して良好な結果が得られた。比較例が２個の指掛け穴であり、指の掛け方によっては指が痛くなり易いものであるのに対し、実施例１〜３のいずれもが３個の指掛け穴を有することによって人差し指、中指、薬指等を使うことができ、荷重の分散や指の入れ替えが容易であることから指が痛くなり難いことが確かめられた。
【符号の説明】
【００４４】
１  包装袋
２  本体
６  持手部
８  指掛け穴
８ａ  第１指掛け穴
８ｂ  第２指掛け穴
８ｃ  第３指掛け穴
８１  折返し部
８２  スリット部
８３  接続部（スリット部の仮固定のための）
８４  折返し片
１０  底辺
１２  シールライン
１２ａ  第１シールライン
１２ｂ  第２シールライン
１２ｃ  第３シールライン
１２ｄ  第４シールライン
１２ａａ  中段区間（第１シールラインの）
１２ｂｂ  中段区間（第２シールラインの）
１００  ロール製品パッケージ
【図１】
2016141405.tif 000004
【図２】
2016141405.tif 000005
【図３】
2016141405.tif 000006
【図４】
2016141405.tif 000007
【図５】
2016141405.tif 000008
【図６】
2016141405.tif 000009